(57)【要約】      （修正有）【課題】化粧台を利用しながらでも電子機器のディスプレイをハンズフリーで見ることができるミラーキャビネット，およびそれを備えた化粧台を提供する。【解決手段】ミラーキャビネット３は，前面の一部がミラー扉（５，６，７）になっているキャビネット本体４と，キャビネット本体４の前面のうちミラー扉以外の部分に設けられ，閉状態と開状態とを取り，ディスプレイ付きの電子機器を保持する可動保持部材８とを備えている。可動保持部材８は，閉状態にてミラー扉とともにキャビネット本体４の前面を構成するハーフミラー１２と，ハーフミラー１２よりもキャビネット本体４における内部側に設けられ，可動保持部材８に保持されている電子機器２０のディスプレイをハーフミラーパネル１２に対面させる保持部とを有している。【選択図】図９
2020156631.tif 000002
【特許請求の範囲】
【請求項１】
前面の一部がミラーになっている箱状体と，
前記箱状体の前面のうちミラー以外の部分に設けられ，閉状態と開状態とを取り，ディ
スプレイ付きの電子機器を保持する可動保持部材とを備え，
前記可動保持部材は，
閉状態にて前記ミラーとともに前記箱状体の前面を構成するハーフミラーと，
前記ハーフミラーよりも前記箱状体における内部側に設けられ，前記可動保持部材に
保持されている電子機器のディスプレイを前記ハーフミラーに対面させる保持部とを有す
るミラーキャビネット。
【請求項２】
請求項１に記載のミラーキャビネットであって，
前記箱状体に，閉状態での前記可動保持部材の内面側に位置する空洞空間が設けられて
いるミラーキャビネット。
【請求項３】
請求項１または請求項２に記載のミラーキャビネットであって，
開状態における前記ハーフミラーの角度を調節する角度調節部を有するミラーキャビネ
ット。
【請求項４】
請求項１から請求項３までのいずれか１つに記載のミラーキャビネットであって，
前記保持されている電子機器が発する音を閉状態にて外部に漏出させる音響穴が前記保
持部に形成されているミラーキャビネット。
【請求項５】
請求項１から請求項４までのいずれか１つに記載のミラーキャビネットであって，
前記保持されている電子機器に対してワイヤレス給電を実行する充電部を有するミラー
キャビネット。
【請求項６】
請求項１から請求項５までのいずれか１つに記載のミラーキャビネットを備えた化粧台。
【発明の詳細な説明】
【技術分野】
【０００１】
本開示は，ミラーキャビネットおよびそれを備えた化粧台に関するものである。
【背景技術】
【０００２】
従来のミラーキャビネットとして，特許文献１に記載されているものを挙げることがで
きる。同文献に記載されている洗面化粧台には，ミラーキャビネットが備えられている。
このミラーキャビネットは同文献中に説明されているように，扉板の表面にミラーが貼り
付けられているものである。同文献のミラーキャビネットの内部には，収納空間が設けら
れている。
【先行技術文献】
【特許文献】
【０００３】
【特許文献１】特開2017-158668号公報
【発明の概要】
【発明が解決しようとする課題】
【０００４】
近年においては例えばスマートフォンやタブレット端末のような携帯型かつディスプレ
イ付きの電子機器の普及が進んでいる。しかし従来のミラーキャビネットおよび洗面化粧
台では，当該電子機器のディスプレイをハンズフリーで鑑賞しつつ洗面化粧台を利用でき
るための工夫は別段なされていなかった。
【０００５】
本開示は，前記した従来の技術が有する問題点を解決するためになされたものである。
すなわちその課題とするところは，洗面化粧台あるいは洗面化粧台以外の化粧台を利用し
ながらであってもディスプレイ付き電子機器のディスプレイをハンズフリーで見ることが
できるようにしたミラーキャビネット，およびそれを備えた化粧台を提供することにある
。
【課題を解決するための手段】
【０００６】
本開示の一態様におけるミラーキャビネットは，前面の一部がミラーになっている箱状
体と，箱状体の前面のうちミラー以外の部分に設けられ，閉状態と開状態とを取り，ディ
スプレイ付きの電子機器を保持する可動保持部材とを備え，可動保持部材は，閉状態にて
前記ミラーとともに箱状体の前面を構成するハーフミラーと，ハーフミラーよりも箱状体
における内部側に設けられ，可動保持部材に保持されている電子機器のディスプレイをハ
ーフミラーに対面させる保持部とを有している。本開示の一態様におけるミラーキャビネ
ット付き化粧台は，上記のミラーキャビネットを備えた化粧台である。
【０００７】
上記のいずれかの態様では，可動保持部材の保持部にディスプレイ付き電子機器を，デ
ィスプレイがハーフミラーに対面する向きにして保持することができる。この状態では保
持部に保持されている電子機器のディスプレイをオンにすれば，ユーザーはハーフミラー
面を透過してディスプレイの表示内容を見ることができる。電子機器のディスプレイ表示
をオフにしているとき，あるいは保持部に電子機器を保持していないときには，ユーザー
には可動保持部材のハーフミラーもミラーと同様に見える。
【図面の簡単な説明】
【０００８】
【図１】実施の形態に係るミラーキャビネット付き洗面化粧台の斜視図である。
【図２】実施の形態に係るミラーキャビネットにおけるハーフミラーパネルを示す斜視図である。
【図３】実施の形態におけるハーフミラーパネルの構成要素である保持部を示す斜視図である。
【図４】保持部にスマートフォンを縦向きに保持している状況を示す斜視図である。
【図５】保持部にスマートフォンを横向きに保持している状況を示す斜視図である。
【図６】保持部にタブレット端末を保持している状況を示す斜視図である。
【図７】保持部の段差の細部を示す部分拡大斜視図である。
【図８】実施の形態に係るミラーキャビネットにおけるキャビネット本体を示す斜視図である。
【図９】実施の形態に係るミラーキャビネットにおけるハーフミラーパネルの開状態を示す斜視図である。
【図１０】実施の形態に係るミラーキャビネットの電力系を示すブロック図である。
【図１１】変形例に係るミラーキャビネットにおけるハーフミラーパネルの開状態を示す側視断面図である。
【発明を実施するための形態】
【０００９】
以下，本開示を具体化した実施の形態について，添付図面を参照しつつ詳細に説明する
。本形態は，図１に示すミラーキャビネット付き洗面化粧台１０として本開示を具体化し
たものである。図１のミラーキャビネット付き洗面化粧台１０は，化粧台本体２と，その
上部に設けられたミラーキャビネット３とにより構成されている。ミラーキャビネット３
は，箱状のキャビネット本体４の前面にミラー扉５，６，７を設けたものである。ミラー
扉５，６，７はいずれも，扉板の表面にミラーが貼り付けられてなるものである。ミラー
扉５，６，７はいずれも，キャビネット本体４に対して開閉可能に取り付けられている。
開き方は，左側のミラー扉５が右側軸の左開き，右側のミラー扉７が左側軸の右開き，で
ある。中央のミラー扉６の開き方は，左開きと右開きとのどちらでもよいが，本形態にお
いては左開きであることとする。
【００１０】
ミラーキャビネット３において，ミラー扉５，６，７の上端の高さはいずれもほぼ同じ
レベルにある。しかしミラー扉５，６，７の下端の高さレベルは異なっており，中央のミ
ラー扉６の下端が，左右のミラー扉５，７の下端よりも高い位置にある。ミラーキャビネ
ット３におけるミラー扉６の下方の位置に，ハーフミラーパネル８が設けられている。ハ
ーフミラーパネル８について，図２〜図６により説明する。
【００１１】
図２に示されるハーフミラーパネル８は，可動保持部材である。ハーフミラーパネル８
は，保持部１１にハーフミラー１２を貼り付けたものである。図１中のミラーキャビネッ
ト３においてハーフミラーパネル８は，ハーフミラー１２を前面に向けて配置されている
。保持部１１は，図１中ではハーフミラー１２の背後にあり見えない。
【００１２】
図２に示したハーフミラーパネル８からハーフミラー１２を取り除いた保持部１１の単
体を図３に示す。図３に示されるように保持部１１は，全体として略長方形状の平板状の
部材である。保持部１１の短辺の下端付近に，突起部３０が設けられている。図３中では
１つの突起部３０しか見えていないが，反対側にもう１つの突起部３０が存在する。保持
部１１の一部に，切り欠き部１３と薄肉部１４とが形成されている。切り欠き部１３は，
保持部１１の長辺の一部から内向きに食い込む形で形成されている。保持部１１における
切り欠き部１３が形成されている長辺は，ミラーキャビネット３において上向きとなる辺
である。保持部１１における切り欠き部１３の形状は長方形状である。
【００１３】
保持部１１のうち切り欠き部１３のさらに奥側の部位が薄肉部１４とされている。薄肉
部１４の厚さは，保持部１１の本来の板厚よりも薄い。薄肉部１４は，保持部１１の板厚
全体の中で，裏面側に寄せられた位置に存在している。つまり，図２に示したようにハー
フミラー１２が取り付けられている状態では，薄肉部１４とハーフミラー１２との間に隙
間がある。この隙間はハーフミラー１２の裏面側に位置し，後述するようにスマートフォ
ンやタブレット端末を保持する空間である。
【００１４】
図３に示されるように，保持部１１における薄肉部１４とそれ以外の部位との境目の段
差１５は，段付き形状とされている。これにより薄肉部１４の奥側には，第１幅部１６と
第２幅部１７と第３幅部１８とが形成されている。第１幅部１６は，これらのうちで最も
幅広の部分である。第１幅１６部の幅Ａは，切り欠き部１３の幅と同じである。第２幅部
１７の幅Ｂは，幅Ａより小さい。第３幅部１８の幅Ｃは，幅Ｂよりさらに小さい。この段
付き形状および薄肉部１４は，ハーフミラー１２の裏面側にスマートフォンやタブレット
端末を保持するための形状である。
【００１５】
第１幅部１６は図６に示すように，タブレット端末１９を横向きに保持するための形状
である。幅Ａは，タブレット端末１９を横置きできるように定められた幅である。第２幅
部１７は図５に示すように，スマートフォン２０を横向きに保持するための形状である。
幅Ｂは，スマートフォン２０を横置きできるように定められた幅である。第３幅部１８は
図４に示すように，スマートフォン２０を縦向きに保持するための形状である。幅Ｃは，
スマートフォン２０を縦置きできるように定められた幅である。いずれの場合でも，タブ
レット端末１９やスマートフォン２０は，そのディスプレイを前面側に向けてパネルボデ
ィ１１に収納される。
【００１６】
図４〜図６ではタブレット端末１９やスマートフォン２０が見えているように描いてい
るが，実際のハーフミラーパネル８では，これらはハーフミラー１２に覆われることとな
る。したがって，タブレット端末１９やスマートフォン２０のディスプレイがオフになっ
ている状況では，図１のミラーキャビネット３の状態で見て，ミラー扉５，６，７，およ
びハーフミラーパネル８の全体が鏡面であるように見える。ハーフミラーパネル８にタブ
レット端末１９やスマートフォン２０が収納されていない場合でも同様である。タブレッ
ト端末１９やスマートフォン２０が収納されており，かつそのディスプレイがオンになっ
ている状況では，ミラーキャビネット付き洗面化粧台１０のユーザーが前方側からハーフ
ミラー１２を通してディスプレイの表示内容を見ることができる。
【００１７】
保持部１１の段差１５の細部を拡大して図７に示す。図７に示されるように保持部１１
の第１幅部１６，第２幅部１７，第３幅部１８にはそれぞれ，音響穴２１が形成されてい
る。図１中のミラーキャビネット３において第１幅部１６，第２幅部１７，第３幅部１８
の下方は，何らかの他の部材に遮られることなく外界に繋がっている。このため，保持部
１１に収納されているタブレット端末１９やスマートフォン２０から発せられる音声は，
音響穴２１を経由して外部へ出ていく。したがって，ミラーキャビネット付き洗面化粧台
１０のユーザーは，収納されているタブレット端末１９やスマートフォン２０の音声を聞
くことができる。
【００１８】
キャビネット本体４について説明する。図８に示すようにキャビネット本体４は，背板
２２と，天板２３と，左側板２４と，右側板２５と，底板２６とにより箱状をなしている
ものである。図８中ではキャビネット本体４の前面側は開放面となっている。ただし前述
のようにキャビネット本体４の前面は，ミラー扉５，６，７，およびハーフミラーパネル
８により開閉可能に塞がれる。底板２６は，図１の閉状態にあるハーフミラーパネル８に
おける音響穴２１の下方を塞いでしまうほど大きくはない。
【００１９】
キャビネット本体４の内部は空洞である。キャビネット本体４の内部空間は，仕切り板
２７，２８，２９により仕切られている。これにより，ミラー扉５，６，７の背後の空間
がそれぞれ，小物の収納空間となっている。これらの収納空間に，化粧用品等を収納して
おくことができる。左側板２４と仕切り板２７との間の空間がミラー扉５の背後の収納空
間であり，仕切り板２７と仕切り板２８との間であって仕切り板２９の上の空間がミラー
扉６の背後の収納空間であり，仕切り板２８と右側板２５との間の空間がミラー扉７の背
後の収納空間である。
【００２０】
仕切り板２７と仕切り板２８との間においては，仕切り板２９の下の部分が独立した空
洞空間４０となっている。この空洞空間４０は，ハーフミラーパネル８の背後に位置する
。この空洞空間４０は，ハーフミラーパネル８に収納されているタブレット端末１９やス
マートフォン２０から発せられる音声を共鳴させる音響空間として機能する。空洞空間４
０は，背板２２と仕切り板２７と仕切り板２８と仕切り板２９と底板２６とハーフミラー
パネル８とにより仕切られている空間である。空洞空間４０に小物を収納することは，可
能である。
【００２１】
ミラーキャビネット３におけるハーフミラーパネル８は，図３に示した突起部３０を中
心に回転できる可動部材である。ハーフミラーパネル８は，閉状態と開状態とを取ること
ができる。図１に示される状態のハーフミラーパネル８は，閉状態のものである。収納さ
れているタブレット端末１９やスマートフォン２０のディスプレイを見るときにはこの閉
状態とする。
【００２２】
ハーフミラーパネル８を開状態にすると，図９に示される状態となる。図９の状態での
ハーフミラーパネル８は，図１中の状態と比較して，下辺部を中心に回転して前方に引き
出された状態である。この状態ではハーフミラーパネル８の裏面側の保持部１１が洗面化
粧台１０のユーザーから見える。この状態でユーザーは，前述の第１幅部１６，第２幅部
１７，または第３幅部１８に対してタブレット端末１９やスマートフォン２０の挿入・取
り出しを行うことができる。図９ではスマートフォン２０を示している。
【００２３】
図９中では，保持部１１に回転アーム３１が取り付けられている。回転アーム３１は，
ハーフミラーパネル８の開閉移動をガイドするとともに，特に開き方向に動ける範囲を制
限する役割を有するものである。ハーフミラーパネル８を閉状態から開状態にするときに
は，ハーフミラーパネル８の上端とミラー扉６の下端との間の隙間に爪先を入れてハーフ
ミラーパネル８を前向きに引き出せばよい。ハーフミラーパネル８を開状態から閉状態に
するときには，開いているハーフミラーパネル８の下側に手を入れて持ち上げ，ハーフミ
ラーパネル８をミラーキャビネット３に押し込めばよい。
【００２４】
ミラーキャビネット３の充電機能を説明する。ミラーキャビネット３の充電機能とは，
ハーフミラーパネル８に収納されているタブレット端末１９やスマートフォン２０の内蔵
電池を充電する機能である。この機能のため保持部１１には，図７に破線で示されるよう
に充電回路３２を内蔵している。充電回路３２は，送電コイルを内蔵しており，Ｑｉ規格
によりタブレット端末１９やスマートフォン２０の内蔵電池にワイヤレスで給電すること
ができる回路である。充電回路３２は，図１中のプラグ３３から，図１０に示すようにト
ランス３４を経由して電力の供給を受けるようになっている。これにより，保持部１１に
収納されているタブレット端末１９やスマートフォン２０を充電することができる。ミラ
ーキャビネット３に照明器具を付加することがよく行われる。その照明的具への電力供給
も図１０の電気系から行うことができる。
【００２５】
ハーフミラーパネル８の開閉動作の変形例を説明する。図１１に，変形例に係るミラー
キャビネット３におけるハーフミラーパネル８の開状態の側視断面図を示す。図１１は，
ミラーキャビネット３における左右方向中央部の，ミラー扉６およびハーフミラーパネル
８が存在する領域内の位置での断面図である。前述の形態でのハーフミラーパネル８の開
閉移動はその下辺を中心とする回転移動であったが，この変形例は，ハーフミラーパネル
８の開状態での位置や角度を調節可能としたものである。
【００２６】
図１１の変形例におけるハーフミラーパネル８は，第１リンク３５および第２リンク３
６を介してミラーキャビネット３に接続されている。ミラーキャビネット３と第１リンク
３５とを接続する第１ヒンジ３７，第１リンク３５と第２リンク３６とを接続する第２ヒ
ンジ３８，そして第２リンク３６とハーフミラーパネル８とを接続する第３ヒンジ３９は
いずれも，ユーザーの手動操作により容易に角度を変更でき，かつ，ユーザーが手を離せ
ばそのままそのときの角度を維持する程度の固さのものである。
【００２７】
図１１の変形例におけるハーフミラーパネル８の閉状態は，ハーフミラーパネル８をミ
ラーキャビネット３に押し付けた状態である。その状態での外観は図１に示したものと変
わりない。図１１の状態は開状態である。閉状態からユーザーが手でハーフミラーパネル
８を前方に引っ張り出すことで開状態にすることができる。図１１の開状態では閉状態と
比較して，ハーフミラーパネル８が，ユーザーの目の近くに位置している。この状態でさ
らに，ハーフミラーパネル８の角度を適宜調節することができる。ハーフミラーパネル８
の高さも調節可能である。
【００２８】
この変形例では，閉状態と開状態とのいずれでも，ハーフミラーパネル８に収納されて
いるタブレット端末１９やスマートフォン２０のディスプレイを見ることができる。特に
開状態では，ハーフミラーパネル８の角度や高さを，ユーザーが自分にとって見やすいよ
うに調節することができる。この変形例でも，ハーフミラーパネル８へのタブレット端末
１９やスマートフォン２０の収納や取り出しは開状態で行われる。その際には，ハーフミ
ラーパネル８の角度や高さを，収納または取り出しの操作に適した状態に調節することが
できる。
【００２９】
この変形例における第１リンク３５，第２リンク３６，第１ヒンジ３７，第２リンク３
６，第３ヒンジ３９は，化粧台本体２を正面から見ればハーフミラーパネル８の左右両端
に位置している。これらの全体が，ハーフミラーパネル８におけるハーフミラー１２の面
の角度を調節する角度調節部を構成している。これらはまた，ハーフミラー１２の高さを
調節する高さ調節部でもある。この変形例においても，ハーフミラーパネル８の閉状態で
タブレット端末１９またはスマートフォン２０の音声を聞く場合には，仕切り板２９の下
の空間が音響空間として機能する。この変形例におけるハーフミラーパネル８には，図３
に示した突起部３０は不要である。
【００３０】
以上詳細に説明したように本実施の形態に係るミラーキャビネット付き洗面化粧台１０
では，化粧台本体２の前面の一部にハーフミラーパネル８を設けている。ハーフミラーパ
ネル８にタブレット端末１９やスマートフォン２０を収納可能とするとともに開閉可能と
することで，ユーザーがこれらの電子機器のディスプレイをハンズフリーで見ながらにし
て利用することができるミラーキャビネット付き洗面化粧台１０が実現されている。
【００３１】
なお，本実施の形態は単なる例示にすぎず，本開示を何ら限定するものではない。した
がって本開示は当然に，その要旨を逸脱しない範囲内で種々の改良，変形が可能である。
例えば，前述の形態では，化粧台本体２の前面のうちハーフミラーパネル８以外の部分の
ほぼ全面がミラー扉５，６，７で占められている。しかし化粧台本体２の前面に，ハーフ
ミラーパネル８でもミラー扉５，６，７でもない領域が存在してもかまわない。ミラー扉
５，６，７のうち一部または全部は，開閉式でない固定のものであってもよい。キャビネ
ット本体４の内部には，図８に示したものよりもさらに多くの仕切り板が設けられていて
もよい。ハーフミラーパネル８の背後の音響空間に小物が入れられることを防ぐ何らかの
部材を備えていてもよい。
【００３２】
ハーフミラーパネル８の保持部１１における音響穴２１の位置は，図７に示した位置に
限らず任意である。あるいは，ハーフミラーパネル８とミラー扉５，６，７との間の隙間
を大きめに取っておくこと等により音響穴２１を省略することもできる。ミラーキャビネ
ット３の充電機能に関して，前述の形態で説明した非接触方式のものに替えて接続式のも
のを備えてもよいし，両者を備えてもよい。非接触方式についても，Ｑｉ規格以外の別の
規格によるものであってもよい。図１１に示した変形例の場合の角度調節部について，図
示したのは２リンク３ヒンジのものであるがこれに限らない。リンクやヒンジの数が違っ
ていてもよい。ミラーキャビネット３が設けられるのは，洗面化粧台に限られず，水回り
以外に設置される化粧台でもよい。
【符号の説明】
【００３３】
２      化粧台本体
３      ミラーキャビネット
４      キャビネット本体（箱状体）
５〜７  ミラー扉
８      ハーフミラーパネル（可動保持部材）
１０    ミラーキャビネット付き洗面化粧台
１１    保持部
１２    ハーフミラー
１４    薄肉部
１６    第１幅部
１７    第２幅部
１８    第３幅部
２１    音響穴
２７    仕切り板
２８    仕切り板
２９    仕切り板
３２    充電回路（充電部）
３５    第１リンク（角度調節部）
３６    第２リンク（角度調節部）
３７    第１ヒンジ（角度調節部）
３８    第２ヒンジ（角度調節部）
３９    第３ヒンジ（角度調節部）
４０    空洞空間
【図１】
2020156631.tif 000003
【図２】
2020156631.tif 000004
【図３】
2020156631.tif 000005
【図４】
2020156631.tif 000006
【図５】
2020156631.tif 000007
【図６】
2020156631.tif 000008
【図７】
2020156631.tif 000009
【図８】
2020156631.tif 000010
【図９】
2020156631.tif 000011
【図１０】
2020156631.tif 000012
【図１１】
2020156631.tif 000013